(57)【要約】【課題】同一周波数帯に複数のサービスが重畳されている放送方式において、各サービスの画像情報の一覧表示を省電力に行うことができる放送受信装置を提供する。【解決手段】本発明に係る放送受信装置(10)は、同一周波数帯に複数のサービスが重畳されている放送方式の放送波を受信する受信部(100,200)と、該受信部により受信した放送波に含まれるサービスを表示する表示部(500)と、前記受信部により受信した放送波に含まれる複数のサービスのうち、少なくとも２つ以上の各サービスから、単独で復号可能な基準ピクチャを検出する検出部(331-33n)と、前記検出部により検出した基準ピクチャを復号する復号部(340)と、該復号部により復号した各サービスの基準ピクチャを並べて前記表示部に表示するように制御する制御部(350)と、を備える。【選択図】図２
2010199974.tif 000002
【特許請求の範囲】
【請求項１】
同一周波数帯に複数のサービスが重畳されている放送方式の放送波を受信する受信部と、
該受信部により受信した放送波に含まれるサービスを表示する表示部と、
前記受信部により受信した放送波に含まれる複数のサービスのうち、少なくとも２つ以上の各サービスから、単独で復号可能な基準ピクチャを検出する検出部と、
前記検出部により検出した基準ピクチャを復号する復号部と、
該復号部により復号した各サービスの基準ピクチャを並べて前記表示部に表示するように制御する制御部と、
を備える放送受信装置。
【請求項２】
前記制御部は、前記復号部により復号した各サービスの基準ピクチャを前記表示部にサムネイル表示するように制御することを特徴とする請求項１に記載の放送受信装置。
【請求項３】
サービスに基づいて基準ピクチャの表示更新閾値を記憶する記憶部と、
サービスに基づいて基準ピクチャの検出回数のカウント値を更新するカウント部と、を備え、
前記制御部は、前記カウント部のカウント値と、前記記憶部の表示更新閾値とに基づき、各サービスに応じて、基準ピクチャの表示を更新するように制御することを特徴とする、請求項１記載の放送受信装置。
【請求項４】
サービスの利用頻度に基づいて基準ピクチャの表示更新閾値を記憶する記憶部と、
サービスに基づいて基準ピクチャの検出回数のカウント値を更新するカウント部と、を備え、
前記制御部は、前記カウント部のカウント値と、前記記憶部の表示更新閾値とに基づき、各サービスの利用頻度に応じて、基準ピクチャの表示を更新するように制御することを特徴とする請求項１に記載の放送受信装置。
【請求項５】
前記制御部は、所定時間毎に、各サービスの基準ピクチャの表示を更新するように制御することを特徴とする請求項１記載の放送受信装置。
【請求項６】
録画中のサービスを判定する判定部を備え、
前記制御部は、前記判定部が判定した録画中のサービスについては、基準ピクチャの表示を更新しないように制御することを特徴とする請求項１乃至５のいずれか１項に記載の放送受信装置。
【発明の詳細な説明】
【技術分野】
【０００１】
本発明は、多チャンネル放送サービスを受信する放送受信装置に関するものである。
【背景技術】
【０００２】
近年、同一周波数帯に複数のサービスを重畳する放送方式として「ＭｅｄｉａＦＬＯ」（登録商標）が提案されている。ＭｅｄｉａＦＬＯとは、携帯端末向け多チャンネル放送サービスであり、移動体環境に適した技術によって、映像や音楽を配信するものである。
【０００３】
ＭｅｄｉａＦＬＯのエアインターフェースはＦＬＯ(Forward Link Only)と呼ばれ、ＦＬＯの物理層にはＯＦＤＭが採用されている。以下、例として、２００８年現在商用サービスを行っている米国のＭｅｄｉａＦＬＯの仕様を説明する。図１５に示すように、ＦＬＯは６ＭＨｚの帯域幅を使用し、サブキャリアの本数は４０９６本である。この４０９６本のサブキャリアのうち、実際に使用するサブキャリアは、ガードサブキャリア９６本を除いた４０００本である。ＭｅｄｉａＦＬＯは、４０００本のサブキャリアを、８つのインタレースと呼ばれるグループに分割する。各インタレースは、４０００本のサブキャリアから８本おき選択した５００本のサブキャリアから構成される。１つのインタレースはパイロットシンボルとして使用されるため、残りの７つのインタレースがデータ送信に使用される。ＭｅｄｉａＦＬＯでは、１つのインタレースを最小の単位として、周波数帯域に対するサービスの割り当てが行われる。なお、ここでいうサービスとは、１つ又は複数の映像、音声、字幕などといったデータコンポーネントの集合のことである。
【０００４】
図１６は、インタレースに対するサービスの割り当て例を示す図である。縦軸のインタレースは周波数軸における分割を表し、横軸は時間軸の分割を表している。ＭｅｄｉａＦＬＯの各サービスは、ＭＬＣ(Multicast Logical Channel)と呼ばれる論理チャンネル上で運ばれる。ＭＬＣは、１つ以上のインタレースと、１つ以上のＯＦＤＭシンボルとから構成される。図１６の太線で囲まれた範囲はそれぞれ異なるＭＬＣを表すものであり、各ＭＬＣには、映像、音声、および字幕などのデータが格納されている。また、例えば図１６の斜線で示すＭＬＣのみで構成されるサービスを視聴するには、当該ＭＬＣを構成するインタレースおよびＯＦＤＭシンボルのみをデコードすれば良い。
【０００５】
このように、ＭｅｄｉａＦＬＯでは時間領域、周波数領域を細かく分割したサービスの割り当てが行われており、必要なＭＬＣのみを選択的にデコードする（間欠受信する）ことによって、放送受信端末の受信部の省電力化を図ることができる。なお、ＭｅｄｉａＦＬＯでは、１つのチューナで全てのインタレースを受信することができるため、さらに数多くのＭＬＣを同時にデコードし、複数のサービスを同時に視聴することも可能である。
【０００６】
ところで、ＭｅｄｉａＦＬＯのサービスを視聴している際、視聴するサービスを切り替えるためには、数秒かかるという問題がある。そのため、不要なチャンネル切り替えを防ぐためにも、あらかじめ視聴したいチャンネルを特定しておくことが望ましい。ここで、従来の電子番組表などによって各サービスの内容を知ることはできるが、かかる電子番組表は基本的に文字情報である。そのため、ユーザがサービス内容を知るためには文字情報を読んで理解する必要があり、各サービス内容を直感的に把握することは難しい。そこで、各サービスの画像情報を例えばサムネイル画像として一覧表示し、その中から所望のサービスを選択する方法が考えられる（例えば特許文献１参照）。
【先行技術文献】
【特許文献】
【０００７】
【特許文献１】特開２００６−３１９７６３号公報
【発明の概要】
【発明が解決しようとする課題】
【０００８】
しかし、特許文献１に記載された発明は、図１７に示す構成の通り、それぞれのサービス（チャンネル）ごとにＯＦＤＭ復調し、各サービスのＴＳ（トランスポートストリーム）を全て復号（デコード）する構成となっているため、回路規模が増大するとともに、消費電力が増大してしまうという課題がある。特に、ＭｅｄｉａＦＬＯでは、前述したように、視聴していないサービスの映像や音声データもフレーム内のＭＬＣで伝送されているため、全てのサービスのデータを同時に取り出すことも可能であるが、全てのデータをデコードすることは処理能力や消費電力の観点から無駄である。
【０００９】
したがって、かかる点に鑑みてなされた本発明の目的は、同一周波数帯に複数のサービスが重畳されている放送方式において、各サービスの画像情報を一覧表示する際、各サービスのＴＳを全て復号（デコード）することなく、単独で復号可能な基準ピクチャのみをデコードして表示し、回路規模及び消費電力を低減することが可能な放送受信装置を提供することにある。
【課題を解決するための手段】
【００１０】
上述した諸課題を解決すべく、請求項１に係る放送受信装置の発明は、
同一周波数帯に複数のサービスが重畳されている放送方式の放送波を受信する受信部と、
該受信部により受信した放送波に含まれるサービスを表示する表示部と、
前記受信部により受信した放送波に含まれる複数のサービスのうち、少なくとも２つ以上の各サービスから、単独で復号可能な基準ピクチャを検出する検出部と、
前記検出部により検出した基準ピクチャを復号する復号部と、
該復号部により復号した各サービスの基準ピクチャを並べて前記表示部に表示するように制御する制御部と、を備えるものである。
【００１１】
また、請求項２に係る発明は、請求項１に記載の放送受信装置において、
前記制御部は、前記復号部により復号した各サービスの基準ピクチャを前記表示部にサムネイル表示するように制御することを特徴とするものである。
【００１２】
また、請求項３に係る発明は、請求項１に記載の放送受信装置において、
サービスに基づいて基準ピクチャの表示更新閾値を記憶する記憶部と、サービスに基づいて基準ピクチャの検出回数のカウント値を更新するカウント部と、を備え、前記制御部は、前記カウント部のカウント値と、前記記憶部の表示更新閾値とに基づき、各サービスに応じて、基準ピクチャの表示を更新するように制御することを特徴とするものである。
【００１３】
また、請求項４に係る発明は、請求項１に記載の放送受信装置において、
サービスの利用頻度に基づいて基準ピクチャの表示更新閾値を記憶する記憶部と、サービスに基づいて基準ピクチャの検出回数のカウント値を更新するカウント部と、を備え、前記制御部は、前記カウント部のカウント値と、前記記憶部の表示更新閾値とに基づき、各サービスの利用頻度に応じて、基準ピクチャの表示を更新するように制御することを特徴とするものである。
【００１４】
また、請求項５に係る発明は、請求項１に記載の放送受信装置において、
前記制御部は、所定時間毎に、各サービスの基準ピクチャの表示を更新するように制御することを特徴とするものである。
【００１５】
また、請求項６に係る発明は、請求項１乃至５のいずれか１項に記載の放送受信装置において、
録画中のサービスを判定する判定部を備え、前記制御部は、前記判定部が判定した録画中のサービスについては、基準ピクチャの表示を更新しないように制御することを特徴とするものである。
【発明の効果】
【００１６】
本発明の放送受信装置は、受信した放送波に含まれる複数のサービスのうち、少なくとも２つ以上の各サービスから単独で復号可能な基準ピクチャを検出して復号し、当該復号した各サービスの基準ピクチャを並べて表示部に表示するように制御するため、同一周波数帯に複数のサービスが重畳されている放送方式において、各サービスの画像情報を一覧表示する際、各サービスのＴＳを全て復号（デコード）することなく、単独で復号可能なピクチャのみをデコードして表示し、回路規模及び消費電力を低減することが可能となる。なお、各サービスの画像情報の一覧表示は、基準ピクチャの検出に応じたタイミングで適宜更新されるため、ユーザは画像情報の一覧を参照して、各サービスの内容を直感的に把握することが可能になる。
【図面の簡単な説明】
【００１７】
【図１】本発明の一実施形態に係る放送受信装置を含む放送システムの概略を示す図である。
【図２】本発明の第１の実施形態に係る放送受信装置の概略構成を示す図である。
【図３】図２の放送受信装置の動作フローチャートである。
【図４】図２の放送受信装置におけるサービス表示例の一例を示す図である。
【図５】本発明の第２の実施形態に係る放送受信装置の概略構成を示す図である。
【図６】図５の放送受信装置の動作フローチャートである。
【図７】図５の放送受信装置におけるサービス表示例の一例を示す図である。
【図８】本発明の第３の実施形態に係る放送受信装置の概略構成を示す図である。
【図９】図８の放送受信装置の動作フローチャートである。
【図１０】本発明の第４の実施形態に係る放送受信装置の概略構成を示す図である。
【図１１】図１０の放送受信装置の動作フローチャートである。
【図１２】本発明の第５の実施形態に係る放送受信装置の概略構成を示す図である。
【図１３】図１２の放送受信装置の動作フローチャートである。
【図１４】図１２の放送受信装置におけるサービス表示例の一例を示す図である。
【図１５】ＭｅｄｉａＦＬＯにおけるインタレースを説明する図である。
【図１６】インタレースに対するサービスの割り当て例を示す図である。
【図１７】従来の放送受信装置の概略構成を示す図である。
【発明を実施するための形態】
【００１８】
以降、諸図面を参照しながら、本発明の実施態様を詳細に説明する。図１は、本発明の一実施形態に係る放送受信装置１０１を含む放送システムの概略を示す図である。放送受信装置１０１は、放送局１０２から、複数のサービスが重畳されたＭｅｄｉａＦＬＯの放送波を受信する。
【００１９】
（第１の実施形態）
図２は、本発明の第１の実施態様に係る放送受信装置１０の概略構成を示す図である。本実施形態に係る放送受信装置１０は、ＭｅｄｉａＦＬＯの放送波を受信するためのアンテナ１００と、アンテナ１００からＲＦ（無線）信号を受信し、デジタル処理可能な帯域に変換するＲＦ部２００と、ＲＦ部２００が受信したＲＦ信号をデジタル信号に変換するＡ／Ｄ（アナログ／デジタル）変換部３１０と、Ａ／Ｄ変換部３１０が変換したデジタル信号にＯＦＤＭ復調を行うＯＦＤＭ復調部３２０と、ＯＦＤＭ復調部３２０より出力されるｎ個のサービスのＴＳ（トランスポートストリーム）であるＴＳ１〜ＴＳｎから、単独で復号可能な基準ピクチャであるＩピクチャを検出するＩピクチャ検出部３３１〜３３ｎと、Ｉピクチャ検出部３３１〜３３ｎが検出したＩピクチャのデコードを行うデコーダ３４０と、デコーダ３４０がデコードしたＩピクチャのサイズを縮小する（例えば、Ｉピクチャのサムネイル画像を生成する）Ｉピクチャ縮小部３５０と、Ｉピクチャ縮小部３５０が生成したＩピクチャの縮小画像を格納するフレームメモリ３６０と、フレームメモリ３６０から画像を読み出し表示する表示装置５００と、を備える。ここで、アンテナ１００及びＲＦ部２００は、ＭｅｄｉａＦＬＯの放送波の受信に対応した、任意の好適なインタフェース機器から構成することができる。また、Ａ／Ｄ変換部３１０、ＯＦＤＭ復調部３２０、Ｉピクチャ検出部３３１〜３３ｎ、デコーダ３４０、及びＩピクチャ縮小部３５０は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。また、フレームメモリ３６０は、例えば、揮発性メモリ（ＳＲＡＭ等）、不揮発性メモリ（ＥＥＰＲＯＭ等）、又は他の好適な記憶媒体により構成することができる。さらに、表示装置５００は、液晶ディスプレイ、タッチパネル等の任意の好適な表示装置により構成することが出来る。
【００２０】
なお、本実施形態では、「受信部」はアンテナ１００及びＲＦ部２００を含み、「表示部」は表示装置５００を含み、「検出部」はＩピクチャ検出部３３１〜３３ｎを含み、「復号部」はデコーダ４００を含み、「制御部」はＩピクチャ縮小部３５０を含んで構成されるものである。
【００２１】
図３は、本実施態様に係る放送受信装置１０の動作フローチャートである。放送受信装置１０は、アンテナ１００により受信した放送波をデジタル信号に変換してＯＦＤＭ復調を行い、Ｉピクチャ検出部３３１〜３３ｎによるＩピクチャの検出を行う（ステップＳ００１）。Ｉピクチャ検出部３３１〜３３ｎがＩピクチャを検出すると、デコーダ３４０は当該Ｉピクチャのデコードを行い（ステップＳ００２）、Ｉピクチャ縮小部３５０はデコードされたＩピクチャをサムネイルサイズに縮小する（ステップＳ００３）。Ｉピクチャ縮小部３５０は、サムネイルサイズに縮小したＩピクチャを、表示装置５００に並べて表示するようにフレームメモリ３６０の所定の位置に格納し、当該フレームメモリ３６０に格納されたＩピクチャの一覧が表示装置５００に表示される（ステップＳ００４）。
【００２２】
図４は、本実施形態に係る放送受信装置１０におけるサービス表示例の一例を示す図である。本実施形態によると、表示装置５００には、同一周波数帯に重畳されている複数のサービスにおける各サービスａ〜ｉのＩピクチャが一覧表示されることになる。
【００２３】
このように、本実施形態によれば、Ｉピクチャ検出部３３１〜３３ｎが、放送波に含まれる複数のサービスから単独で復号可能な基準ピクチャであるＩピクチャを検出し、デコーダ３４０は当該Ｉピクチャのみを復号し、復号されたＩピクチャが表示装置５００に並べて表示されるため、同一周波数帯に複数のサービスが重畳されている放送方式において、各サービスの画像情報を一覧表示する際、各サービスのＴＳを全て復号（デコード）することなく、他のピクチャを参照することなく単独で復号可能な基準ピクチャのみをデコードして表示し、回路規模及び消費電力を低減することが可能となる。また、各サービスのＩピクチャの一覧表示は、Ｉピクチャの検出に応じたタイミングで適宜更新されるため、ユーザは画像情報の一覧を参照して、各サービスの内容を直感的に把握することが可能になる。さらに、各サービスの画像情報の一覧表示に、各サービスのＩピクチャをサムネイル表示することによって、一覧表示の視認性を向上させるとともに、例えば既存のサムネイル画像生成回路を流用することにより、サービスのサムネイル画像を最低限のハードウェア構成で安価に実現できる。
【００２４】
（第２の実施形態）
各サービスの基準ピクチャ（Ｉピクチャ）の一覧表示は、サービス毎に異なる更新間隔で表示の更新を行うことができる。
【００２５】
図５は、本発明の第２の実施形態に係る放送受信装置２０の概略構成を示す図である。本実施形態に係る放送受信装置２０は、図２に示す第１の実施形態に係る放送受信装置１０の構成に加え、Ｉピクチャ検出部３３１〜３３ｎの後段に、サービス毎にデコードすべきＩピクチャを選択するサービス選択部３７１と、サービス毎にＩピクチャの更新頻度の規定値（表示更新閾値）を記憶する規定値記憶部３８０と、サービス毎にＩピクチャの検出回数をカウントする検出回数カウント部３９０と、を備えるものであり、その他の構成は第１の実施形態と同様である。したがって、図２に示した構成部と同様の作用をなす構成部には、同一参照符号を付して説明を省略する。なお、ここでいう「サービス毎」とは、個々のサービスを単位としたり、複数のサービスをまとめたサービスのカテゴリを単位とすることが出来る。ここで、サービス選択部３７１及び検出回数カウント部３９０は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。また、規定値記憶部３８０は、例えば、揮発性メモリ（ＳＲＡＭ等）、不揮発性メモリ（ＥＥＰＲＯＭ等）、又は他の好適な記憶媒体により構成することができる。
【００２６】
なお、本実施形態では、「受信部」はアンテナ１００及びＲＦ部２００を含み、「表示部」は表示装置５００を含み、「検出部」はＩピクチャ検出部３３１〜３３ｎを含み、「復号部」はデコーダ３４０を含み、「カウント部」は検出回数カウント部３９０を含み、「記憶部」は規定値記憶部３８０を含み、「制御部」はサービス選択部３７１及びＩピクチャ縮小部３５０を含んで構成されるものである。
【００２７】
図６は、本実施態様に係る放送受信装置２０の動作フローチャートである。放送受信装置２０は、アンテナ１００により受信した放送波をデジタル信号に変換してＯＦＤＭ復調を行い、Ｉピクチャ検出部３３１〜３３ｎによるＩピクチャの検出を行う（ステップＳ１０１）。Ｉピクチャ検出部３３１〜３３ｎがＩピクチャを検出すると、検出回数カウント部３９０は、サービス毎にＩピクチャの検出回数のカウント値を更新する（ステップＳ１０２）。サービス選択部３７１は、検出回数カウント部３９０が更新するサービス毎のカウント値を参照し、当該カウント値が規定値記憶部３８０に記憶された当該サービスに対する規定値（表示更新閾値）を超えたかどうかを判定する（ステップＳ１０３）。なお、規定値記憶部３８０に記憶された当該サービスに対する規定値（表示更新閾値）は、例えば、ユーザの設定や、映画／ニュース／スポーツといったサービス毎の特性に応じて決定することが出来る。検出回数カウント部３９０のカウント値が、規定値記憶部３８０に記憶された当該サービス毎の規定値を超えた場合（同一値でも良い）、サービス選択部３７１は、当該サービスのＩピクチャ（超えた際のＩピクチャ、同一値を検出した際のＩピクチャ、又はこれらの次のＩピクチャなど）をデコーダ３４０に供給する（ステップＳ１０３のＹｅｓ）、デコーダ３４０は当該Ｉピクチャのデコードを行い（ステップＳ１０４）、Ｉピクチャ縮小部３５０はデコードされたＩピクチャをサムネイルサイズに縮小する（ステップＳ１０５）。Ｉピクチャ縮小部３５０は、サムネイルサイズに縮小したＩピクチャを、表示装置５００に並べて表示するように、フレームメモリ３６０の所定の位置に格納し、当該フレームメモリ３６０に格納されたＩピクチャの一覧が装置５００に表示される（ステップＳ１０６）。なお、ステップＳ１０３において、検出回数カウント部３９０が更新するサービス毎のカウント値が、規定値記憶部３８０に記憶された当該サービスに対する規定値を超えない場合、放送受信装置２０の動作フローはステップＳ１０１のＩピクチャの検出に戻る（ステップＳ１０３のＮｏ）。
【００２８】
図７は、本実施形態に係る放送受信装置２０におけるサービス表示例の一例を示す図である。本実施形態によると、表示装置５００には、同一周波数帯に重畳されている複数のサービスにおける各サービスａ〜ｉのＩピクチャが一覧表示されることになるが、各サービスａ〜ｉの表示更新頻度は、規定値記憶部３８０に記憶された規定値（表示更新閾値）に応じて、サービス毎に異なる頻度にすることができる。図７の場合、最もユーザの好きなサービスｃが１秒間に５回画像が更新され、次にユーザの好きなサービスｄが１秒間に３回画像が更新され、次いで、サービスｅとサービスｈが１秒間に２回画像が更新され、それ以外のサービスはユーザがあまり好きではないので、１秒間に１回画像が更新されることになる。
【００２９】
このように、本実施形態によれば、サービス選択部３７１が、検出回数カウント部３９０のカウント値と、規定値記憶部３８０の表示更新閾値とに基づき、各サービスに応じて、基準ピクチャ（Ｉピクチャ）の表示を更新するように制御するため、各サービスの基準ピクチャ（Ｉピクチャ）の一覧表示に対し、サービス毎に異なる更新間隔で表示の更新を行うことが可能になる。例えば、好きなサービス又はサービスカテゴリに対して高い頻度を設定し、あまり好きではないサービス又はサービスカテゴリに対して低い頻度を設定することにより、放送受信装置２０の消費電力を抑えつつ、必要な画像情報の更新がまばらになり過ぎないようにすることができる。
【００３０】
（第３の実施形態）
各サービスの基準ピクチャ（Ｉピクチャ）の一覧表示は、サービスの利用頻度に応じて異なる更新間隔で表示の更新を行うことができる。
【００３１】
図８は、本発明の第３の実施形態に係る放送受信装置３０の概略構成を示す図である。本実施形態に係る放送受信装置３０は、図２に示す第１の実施形態に係る放送受信装置１０の構成に加え、Ｉピクチャ検出部３３１〜３３ｎの後段に、サービス毎にデコードすべきＩピクチャを選択するサービス選択部３７２と、サービスの利用頻度に基づいてＩピクチャの更新頻度の規定値（表示更新閾値）を記憶する利用頻度蓄積部４００と、サービス毎にＩピクチャの検出回数をカウントする検出回数カウント部３９０と、を備えるものであり、その他の構成は第１の実施形態と同様である。したがって、図２に示した構成部と同様の作用をなす構成部には、同一参照符号を付して説明を省略する。なお、ここでいう「サービス毎」とは、個々のサービスを単位としたり、複数のサービスをまとめたサービスのカテゴリを単位とすることが出来る。ここで、サービス選択部３７２及び検出回数カウント部３９０は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。また、利用頻度蓄積部４００は、例えば、揮発性メモリ（ＳＲＡＭ等）、不揮発性メモリ（ＥＥＰＲＯＭ等）、又は他の好適な記憶媒体により構成することができる。
【００３２】
なお、本実施形態では、「受信部」はアンテナ１００及びＲＦ部２００を含み、「表示部」は表示装置５００を含み、「検出部」はＩピクチャ検出部３３１〜３３ｎを含み、「復号部」はデコーダ３４０を含み、「カウント部」は検出回数カウント部３９０を含み、「記憶部」は利用頻度蓄積部４００を含み、「制御部」はサービス選択部３７２及びＩピクチャ縮小部３５０を含んで構成されるものである。
【００３３】
図９は、本実施態様に係る放送受信装置３０の動作フローチャートである。放送受信装置３０は、アンテナ１００により受信した放送波をデジタル信号に変換してＯＦＤＭ復調を行い、Ｉピクチャ検出部３３１〜３３ｎによるＩピクチャの検出を行う（ステップＳ２０１）。Ｉピクチャ検出部３３１〜３３ｎがＩピクチャを検出すると、検出回数カウント部３９０は、サービス毎にＩピクチャの検出回数のカウント値を更新する（ステップＳ２０２）。サービス選択部３７２は、検出回数カウント部３９０が更新するサービス毎のカウント値を参照し、当該カウント値が利用頻度蓄積部４００に記憶された、当該サービスの利用頻度に基づく規定値（表示更新閾値）を超えたかどうかを判定する（ステップＳ２０３）。なお、利用頻度蓄積部４００に記憶されたサービスの利用頻度に基づく規定値（表示更新閾値）は、例えば、ユーザが良く見るサービスについては高い頻度で更新され、ユーザがあまり見ないサービスについては低い頻度で更新されるように設定することが出来る。検出回数カウント部３９０のカウント値が、利用頻度蓄積部４００に記憶された当該サービスの利用頻度に基づく規定値（表示更新閾値）を超えた場合（同一値でも良い）、サービス選択部３７２は、当該サービスのＩピクチャ（超えた際のＩピクチャ、同一値を検出した際のＩピクチャ、又はこれらの次のＩピクチャなど）をデコーダ３４０に供給する（ステップＳ２０３のＹｅｓ）、デコーダ３４０は当該Ｉピクチャのデコードを行い（ステップＳ２０４）、Ｉピクチャ縮小部３５０はデコードされたＩピクチャをサムネイルサイズに縮小する（ステップＳ２０５）。Ｉピクチャ縮小部３５０は、サムネイルサイズに縮小したＩピクチャを、表示装置５００に並べて表示するように、フレームメモリ３６０の所定の位置に格納し、当該フレームメモリ３６０に格納されたＩピクチャの一覧が装置５００に表示される（ステップＳ２０６）。なお、ステップＳ２０３において、検出回数カウント部３９０が更新するサービ毎のカウント値が、利用頻度蓄積部４００に記憶された当該サービスの利用頻度に対する規定値（表示更新閾値）を超えない場合、放送受信装置３０の動作フローはステップＳ２０１のＩピクチャの検出に戻る（ステップＳ２０３のＮｏ）。
【００３４】
図７は、本実施形態に係る放送受信装置３０におけるサービス表示例の一例を示す図である。本実施形態によると、表示装置５００には、第２の実施形態と同様に、同一周波数帯に重畳されている複数のサービスにおける各サービスａ〜ｉのＩピクチャが一覧表示されることになるが、各サービスａ〜ｉの表示更新頻度は、利用頻度蓄積部４００に記憶された各サービスの利用頻度に応じた規定値（表示更新閾値）に基づき異なる頻度にすることができる。図７の場合、最も利用頻度の高いサービスｃが１秒間に５回画像が更新され、次に利用頻度の高いサービスｄが１秒間に３回画像が更新され、次いで利用頻度の高いサービスｅとサービスｈが１秒間に２回画像が更新され、それ以外のサービスは利用頻度が低いので１秒間に１回画像が更新されることになる。
【００３５】
このように、本実施形態によれば、サービス選択部３７２が、検出回数カウント部３９０のカウント値と、利用頻度記憶部４００の表示更新閾値とに基づき、各サービスの利用頻度に応じて、基準ピクチャの表示を更新するように制御するため、各サービスの基準ピクチャ（Ｉピクチャ）の一覧表示に対し、サービスの利用頻度毎に異なる更新間隔で表示の更新を行うことが可能になる。例えば、よく見るサービス又はサービスカテゴリに対しては、利用頻度に応じて更新頻度を高く設定し、あまり見ないサービス又はサービスカテゴリに対しては、利用頻度に応じて更新頻度を低く設定することにより、放送受信装置３０の消費電力を抑えつつ、必要な画像情報の更新がまばらになり過ぎないようにすることができる。
【００３６】
（第４の実施形態）
ＭｅｄｉａＦＬＯでは、一覧表示すべきサービスに対応するＭＬＣのみを受信するように受信部を制御することで放送受信装置の省電力化が可能である。
【００３７】
図１０は、本発明の第４の実施形態に係る放送受信装置４０の概略構成を示す図である。本実施形態に係る放送受信装置４０は、図２に示す第１の実施形態に係る放送受信装置１０の構成に加え、ＲＦ部２００の動作を制御するタイマ４６０及びサービス選択部３７３を備えるものであり、その他の構成は第１の実施形態と同様である。したがって、図２に示した構成部と同様の作用をなす構成部には、同一参照符号を付して説明を省略する。ここで、サービス選択部３７３は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。また、タイマ４６０は、振動子又は発振子などを備える、任意の好適な時間計測装置により構成することができる。
【００３８】
なお、本実施形態では、「受信部」はアンテナ１００及びＲＦ部２００を含み、「表示部」は表示装置５００を含み、「検出部」はＩピクチャ検出部３３１〜３３ｎを含み、「復号部」はデコーダ３４０を含み、「制御部」はサービス選択部３７３、タイマ４６０及びＩピクチャ縮小部３５０を含んで構成されるものである。
【００３９】
図１１は、本実施態様に係る放送受信装置４０の動作フローチャートである。サービス選択部３７３は、ＭｅｄｉａＦＬＯの制御情報を参照し、受信対象となるサービスのＭＬＣのみを受信するように、タイマ４６０を基にＲＦ部２００の制御を行う（ステップＳ３０１）。なお、ＭｅｄｉａＦＬＯのスーパーフレームは１秒単位であるため、受信対象となるサービスのＭＬＣの受信は通常１秒ごとに行われることになるが、サービス選択部３７３は、サービス毎に異なる受信間隔となるように、タイマ４６０を基にＲＦ部２００を制御することができる。
【００４０】
放送受信装置４０は、アンテナ１００を通じてＲＦ部２００が受信した放送波をデジタル信号に変換してからＯＦＤＭ復調を行い、Ｉピクチャ検出部３３１〜３３ｎによるＩピクチャの検出を行う（ステップＳ３０２）。Ｉピクチャ検出部３３１〜３３ｎがＩピクチャを検出すると、デコーダ３４０は当該Ｉピクチャのデコードを行い（ステップＳ３０３）、Ｉピクチャ縮小部３５０はデコードされたＩピクチャをサムネイルサイズに縮小する（ステップＳ３０４）。Ｉピクチャ縮小部３５０は、サムネイルサイズに縮小したＩピクチャを、表示装置５００に並べて表示するように、フレームメモリ３６０の所定の位置に格納し、当該フレームメモリ３６０に格納されたＩピクチャの一覧が装置５００に表示される（ステップＳ３０５）。
【００４１】
このように、本実施形態によれば、サービス選択部３７３は、所定時間毎に、各サービスの基準ピクチャの表示を更新するようにＲＦ部２００を制御するため、放送波を受信する電力を低減するとともに、必要なサービスの基準ピクチャを一覧表示することによっても、放送受信装置４０の消費電力を抑えることが可能になる。
【００４２】
（第５の実施形態）
同一周波数帯に複数のサービスを重畳する放送方式では、当該複数のサービスのうち、一部のサービスをユーザが録画対象としている場合があり、当該録画対象のサービスの内容は、ユーザが意図しないタイミングで知ることがないようにすることが好ましい。
【００４３】
図１２は、本発明の第５の実施形態に係る放送受信装置５０の概略構成を示す図である。本実施形態に係る放送受信装置５０は、図２に示す第１の実施形態に係る放送受信装置１０の構成に加え、Ｉピクチャ検出部３３１〜３３ｎの後段に、サービスの録画状況に基づきデコードすべきＩピクチャを選択するサービス選択部３７４と、各サービスが録画中であるかどうかを判定する録画中判定部４１０と、を備えるものであり、その他の構成は第１の実施形態と同様である。したがって、図２に示した構成部と同様の作用をなす構成部には、同一参照符号を付して説明を省略する。ここで、サービス選択部３７４及び録画中判定部４１０は、ＣＰＵ（中央処理装置）等の任意の好適なプロセッサ上で実行されるソフトウェアとして構成したり、各処理に特化した専用のプロセッサ（例えばＤＳＰ（デジタルシグナルプロセッサ））によって構成することができる。
【００４４】
なお、本実施形態では、「受信部」はアンテナ１００及びＲＦ部２００を含み、「表示部」は表示装置５００を含み、「検出部」はＩピクチャ検出部３３１〜３３ｎを含み、「復号部」はデコーダ３４０を含み、「制御部」はサービス選択部３７４、録画中判定部４１０及びＩピクチャ縮小部３５０を含んで構成されるものである。
【００４５】
図１３は、本実施態様に係る放送受信装置５０の動作フローチャートである。放送受信装置５０は、アンテナ１００により受信した放送波をデジタル信号に変換してＯＦＤＭ復調を行い、Ｉピクチャ検出部３３１〜３３ｎによるＩピクチャの検出を行う（ステップＳ４０１）。Ｉピクチャ検出部３３１〜３３ｎがＩピクチャを検出すると、録画中判定部４１０は、当該Ｉピクチャのサービスが録画中のサービスであるかどうか判定し（ステップＳ４０２）、当該Ｉピクチャを含むサービスが録画中のサービスではない場合、サービス選択部３７４は、当該Ｉピクチャをデコーダ３４０に供給する（ステップＳ４０２のＮｏ）。デコーダ３４０は当該Ｉピクチャのデコードを行い（ステップＳ４０３）、Ｉピクチャ縮小部３５０はデコードされたＩピクチャをサムネイルサイズに縮小する（ステップＳ４０４）。Ｉピクチャ縮小部３５０は、サムネイルサイズに縮小したＩピクチャを、表示装置５００に並べて表示するように、フレームメモリ３６０の所定の位置に格納し、当該フレームメモリ３６０に格納されたＩピクチャの一覧が装置５００に表示される（ステップＳ４０５）。なお、ステップＳ４０２において録画中と判定されたサービスについては、デコーダ３４０によるデコードは行われない。
【００４６】
図１４は、本実施形態に係る放送受信装置５０におけるサービス表示例の一例を示す図である。本実施形態によると、表示装置５００には、同一周波数帯に重畳されている複数のサービスにおける各サービスａ〜ｉのＩピクチャが一覧表示されることになるが、録画中であるサービスｃは一覧表示の更新が行われない。なお、サービスｃについては、一覧表示した際の最初のＩピクチャを表示した後に表示の更新を行わない表示態様や、録画データの最初のＩピクチャのみを表示する表示態様や、Ｉピクチャの代わりに「録画中」等の文字を表示する表示態様を行うことができる。
【００４７】
このように、本実施形態によれば、サービス選択部３７４が、録画中のサービスについては、基準ピクチャ（Ｉピクチャ）の表示を更新しないように制御するため、例えば、ドラマの結末、クイズの解答やスポーツの結果など、録画中のサービスの内容をユーザが意図せず知ってしまうことを防ぐことが可能になる。
【００４８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部は論理的に矛盾しないように再配置可能であり、複数の構成部を１つに組み合わせたり、或いは分割したりすることが可能である。
【００４９】
本発明は、同一周波数帯に複数のサービスを重畳する放送方式として「ＭｅｄｉａＦＬＯ」を例に実施形態を記載しているが、本発明の適用範囲はＭｅｄｉａＦＬＯのみに限定されるものではない。同一周波数帯に複数のサービスを重畳する放送方式であれば、他の任意の方式に適用することが可能である。
【符号の説明】
【００５０】
１０、２０、３０、４０、５０、１０１  放送受信装置
１０２  放送局
１００  アンテナ
２００  ＲＦ部
３１０  Ａ／Ｄ変換部
３２０  ＯＦＤＭ復調部
３３１〜３３ｎ  Ｉピクチャ検出部
３４０  デコーダ
３５０  Ｉピクチャ縮小部
３６０  フレームメモリ
３７１、３７２、３７３、３７４  サービス選択部
３８０  規定値記憶部
３９０  検出回数カウント部
４００  利用頻度蓄積部
４１０  録画中判定部
４６０  タイマ
５００  表示装置
【図１】
2010199974.tif 000003
【図２】
2010199974.tif 000004
【図３】
2010199974.tif 000005
【図４】
2010199974.tif 000006
【図５】
2010199974.tif 000007
【図６】
2010199974.tif 000008
【図７】
2010199974.tif 000009
【図８】
2010199974.tif 000010
【図９】
2010199974.tif 000011
【図１０】
2010199974.tif 000012
【図１１】
2010199974.tif 000013
【図１２】
2010199974.tif 000014
【図１３】
2010199974.tif 000015
【図１４】
2010199974.tif 000016
【図１５】
2010199974.tif 000017
【図１６】
2010199974.tif 000018
【図１７】
2010199974.tif 000019